(57)【要約】【課題】印刷された静止画と、これと関連付けられた動画データを通信端末機で再生して、これを組み合わせて同時に観賞できることにより、静止画と動画との内容を全体として一体的に観賞することができる新しい画像観賞方法を提供すること。【解決手段】静止画に対して関連付けされた所定情報を、通信端末機によって取得する工程と、通信ネットワーク上の配信用サーバに保存された、前記静止画の所定部位と関連付けされた動画データを、前記所定情報により特定して、前記通信端末機に取得する工程と、前記通信端末機の表示部と前記静止画の前記所定部位との位置合せを行い、前記動画データを再生して前記表示部に動画を表示する工程と、前記工程は、前記通信端末機の前記表示部を、前記静止画の前記所定部位に設けられた目合せに沿って前記位置合せを行う、画像観賞方法。【選択図】  図４
2010193079.tif 000002
【特許請求の範囲】
【請求項１】
静止画に対して関連付けされた所定情報を、通信端末機によって取得する情報取得工程と、
通信ネットワーク上の配信用サーバに保存された、前記静止画の所定部位と関連付けされた動画データを、前記所定情報により特定して、前記通信端末機に取得する動画データ取得工程と、
前記通信端末機の表示部と前記静止画の前記所定部位との位置合せを行い、前記動画データを再生して前記表示部に動画を表示する動画表示工程と、を有すること
を特徴とする画像観賞方法。
【請求項２】
前記動画表示工程は、前記通信端末機の前記表示部を、前記静止画の前記所定部位に設けられた目合せに沿って前記位置合せが行われることを特徴とする請求項１記載の画像観賞方法。
【請求項３】
前記動画表示工程における前記動画データの再生は、前記通信端末機の前記表示部を、前記静止画の前記所定部位にとどめた状態で行うことを特徴とする請求項１又は請求項２に記載の画像観賞方法。
【請求項４】
前記動画表示工程における前記動画データの再生は、前記通信端末機の前記表示部を、前記静止画に対して相対的に移動させながら行うことを特徴とする請求項１又は請求項２に記載の画像観賞方法。
【請求項５】
前記動画は、前記静止画の前記所定部位を内容とするものであり、かつ、前記表示部における再生内容が、前記静止画の前記所定部位と略一致する寸法となるものであることを特徴とする請求項１乃至請求項４のうち、いずれか１に記載の画像観賞方法。
【請求項６】
前記静止画は写真画像であり、前記動画は、前記写真画像と同一の被写体を内容とすることを特徴とする請求項１乃至請求項５記載の画像観賞方法。
【請求項７】
前記静止画は漫画又は絵画であり、前記動画は前記漫画又は絵画を内容とするアニメーションであることを特徴とする請求項１乃至請求項６記載の画像観賞方法。
【請求項８】
静止画に対して関連付けされた所定情報を、通信端末機によって取得する情報取得工程と、
通信ネットワーク上の配信用サーバに保存された、前記静止画の所定部位と関連付けされた動画データを含むプログラムを、前記所定情報により特定して、前記通信端末機に取得するプログラム取得工程と、
前記通信端末機の表示部と前記静止画の前記所定部位との位置合せを行い、前記プログラムを実行して前記表示部に動画を表示する動画表示工程と、を有する画像観賞方法であって、
前記プログラムは、前記通信端末機の音声入力部へ入力される音声に反応して変化する動画データの再生が可能であり、
前記動画表示工程は、前記音声が入力されたときに前記変化する動画データを再生することを特徴とする画像観賞方法。
【請求項９】
静止画に対して関連付けされた所定情報を、通信端末機によって取得する情報取得工程と、
通信ネットワーク上の配信用サーバに保存された、前記静止画の所定部位と関連付けされた動画データを含むプログラムを、前記所定情報により特定して、前記通信端末機に取得するプログラム取得工程と、
前記通信端末機の表示部と前記静止画の前記所定部位との位置合せを行い、前記プログラムを実行して前記表示部に動画を表示する動画表示工程と、を有する画像観賞方法であって、
前記プログラムは、前記通信端末機のタッチパネルの操作に反応して変化する動画データの再生が可能であり、
前記動画表示工程は、前記タッチパネルが操作されたときに前記変化する動画データを再生することを特徴とする画像観賞方法。
【請求項１０】
前記動画データは、音声を含むことを特徴とする請求項１乃至請求項９のうち、いずれか１に記載の画像観賞方法。
【発明の詳細な説明】
【技術分野】
【０００１】
本発明は、画像観賞方法に関し、特に、静止画と通信端末機で再生される動画との組合せによる画像観賞方法に関する。
【背景技術】
【０００２】
従来より、印刷物に印刷された静止画そのものを見て楽しむものとしては、例えば、ポスター、雑誌、写真集、漫画、新聞のように、数多く存在している。このような印刷物を見る者は、専らその静止画をただ静止した画像として観賞して楽しむ以外の観賞方法はなかった。
【０００３】
このように、静止画が印刷された印刷物は、別段機器を使用せずに手軽に静止画を楽しむことができるものの、その静止画自体は特に変化するものではないため、本発明者らは、印刷物を見る者に対して目新しい画像観賞方法を提供することを模索していた。
【０００４】
ここで、現在では、テレビ、ＤＶＤ（Ｄｉｇｉｔａｌ  Ｖｅｒｓａｔｉｌｅ  Ｄｉｓｃ）、パーソナルコンピュータをはじめ、動画を楽しむことができる手段が広く普及しており、これらを用いて動画を楽しむ機会が極めて多い時代となっている。
【０００５】
しかしながら、印刷された静止画の観賞と、動画の観賞とでは、全く異なる観賞方法であって、動画の１シーンを静止画として観賞することはできても、印刷された静止画と、これと関連付けられた動画との組合せで楽しむ観賞方法は存在しなかった。
【先行技術文献】
【特許文献】
【０００６】
【特許文献１】特開２００３−２０３１１７
【発明の概要】
【発明が解決しようとする課題】
【０００７】
そこで、本発明は、印刷された静止画と、これと関連付けられた動画データを通信端末機で再生して、これを組み合わせて同時に観賞できることにより、静止画と動画との内容を全体として一体的に観賞することができる新しい画像観賞方法を提供することを目的とする。
【課題を解決するための手段】
【０００８】
上記課題を解決するための本発明の画像観賞方法は、静止画に対して関連付けされた所定情報を、通信端末機によって取得する情報取得工程と、通信ネットワーク上の配信用サーバに保存された、前記静止画の所定部位と関連付けされた動画データを、前記所定情報により特定して、前記通信端末機に取得する動画データ取得工程と、前記通信端末機の表示部と前記静止画の前記所定部位との位置合せを行い、前記動画データを再生して前記表示部に動画を表示する動画表示工程と、を有することを特徴とする。なお、本発明において、静止画とは、写真・図形・文字などの動きのない画像をいい、動画とは、一定時間間隔で取得された一連の画像を、短い間隔で連続表示することにより得られる動きのある映像であり、画像とは、前記静止画及び前記動画を含むものとする。
【０００９】
また、本発明の画像観賞方法の前記動画表示工程は、前記通信端末機の前記表示部を、前記静止画の前記所定部位に設けられた目合せに沿って前記位置合せが行われることを特徴とする。
【００１０】
また、本発明の画像観賞方法の前記動画表示工程における前記動画データの再生は、前記通信端末機の前記表示部を、前記静止画の前記所定部位にとどめた状態で行うことを特徴とする。
【００１１】
また、本発明の画像観賞方法の前記動画表示工程における前記動画データの再生は、前記通信端末機の前記表示部を、前記静止画に対して相対的に移動させながら行うことを特徴とする。
【００１２】
また、本発明の画像観賞方法の前記動画は、前記静止画の前記所定部位を内容とするものであり、かつ、前記表示部における再生内容が、前記静止画の前記所定部位と略一致する寸法となるものであること。
【００１３】
また、本発明の画像観賞方法の前記静止画は写真画像であり、前記動画は、前記写真画像と同一の被写体を内容とすることを特徴とする。
【００１４】
また、本発明の画像観賞方法の前記静止画は漫画又は絵画であり、前記動画は前記漫画又は絵画を内容とするアニメーションであることを特徴とする。
【００１５】
また、本発明の画像観賞方法は、静止画に対して関連付けされた所定情報を、通信端末機によって取得する情報取得工程と、通信ネットワーク上の配信用サーバに保存された、前記静止画の所定部位と関連付けされた動画データを含むプログラムを、前記所定情報により特定して、前記通信端末機に取得するプログラム取得工程と、前記通信端末機の表示部と前記静止画の前記所定部位との位置合せを行い、前記プログラムを実行して前記表示部に動画を表示する動画表示工程と、を有する画像観賞方法であって、前記プログラムは、前記通信端末機の音声入力部へ入力される音声に反応して変化する動画データの再生が可能であり、前記動画表示工程は、前記音声が入力されたときに前記変化する動画データを再生することを特徴とする。
【００１６】
また、本発明の画像観賞方法は、静止画に対して関連付けされた所定情報を、通信端末機によって取得する情報取得工程と、通信ネットワーク上の配信用サーバに保存された、前記静止画の所定部位と関連付けされた動画データを含むプログラムを、前記所定情報により特定して、前記通信端末機に取得するプログラム取得工程と、前記通信端末機の表示部と前記静止画の前記所定部位との位置合せを行い、前記プログラムを実行して前記表示部に動画を表示する動画表示工程と、を有する画像観賞方法であって、前記プログラムは、前記通信端末機のタッチパネルの操作に反応して変化する動画データの再生が可能であり、前記動画表示工程は、前記タッチパネルが操作されたときに前記変化する動画データを再生することを特徴とする。
【００１７】
また、本発明の画像観賞方法の前記動画データは、音声を含むことを特徴とする。
【発明の効果】
【００１８】
本発明によれば、印刷された静止画に対して、静止画の所定部位に関する動画データを有する通信端末機を、静止画上の所定位置に配置し、動画データを再生することによって、静止画と動画との内容を全体として一体的に観賞することができる画像観賞方法を提供することができる。
【図面の簡単な説明】
【００１９】
【図１】（ａ）は、本発明の第１実施形態に係る画像観賞方法において用いる印刷物及び通信端末機の外観図、（ｂ）は、通信端末機の動画表示状態を示す図である。
【図２】本発明の第１実施形態に係る画像観賞方法において用いる通信端末機の基本的なブロック図である。
【図３】本発明の第１実施形態に係る画像観賞方法において用いる通信端末機と配信用サーバとの接続関係を示す基本的な概念図である。
【図４】本発明の第１実施形態に係る画像観賞方法において、動画の第１状態を示す図である。
【図５】本発明の第１実施形態に係る画像観賞方法において、動画の第２状態を示す図である。
【図６】本発明の第１実施形態に係る画像観賞方法において、動画の第３状態を示す図である。
【図７】図４乃至図６に対応した本発明の第１実施形態に係る画像観賞方法の工程を示すフローチャートである。
【図８】本発明の第１実施形態の変形例を示す図である。
【図９】（ａ）は、本発明の第２実施形態に係る画像観賞方法において用いる印刷物及び通信端末機の外観図、（ｂ）は、変化後の動画データを示す図である。
【図１０】（ａ）は、本発明の第２実施形態の変形例に係る画像観賞方法において用いる印刷物及び通信端末機の外観図、（ｂ）は、変化後の動画データを示す図である。
【図１１】（ａ）は、本発明の第３実施形態に係る画像観賞方法において用いる印刷物及び通信端末機の外観図、（ｂ）は、変化後の動画データを示す図である。
【発明を実施するための形態】
【００２０】
（第１実施形態）
本発明に係る画像観賞方法の第１実施形態について、図面を参照して説明する。図１（ａ）は、本発明に係る画像観賞方法において用いる印刷物及び通信端末機の外観図、（ｂ）は、通信端末機の動画表示状態を示す図である。
【００２１】
図１に示すように、本実施形態における画像観賞方法は、静止画１１が印刷された印刷物１０と、静止画１１の所定部位（３０）の動画１３を表示可能な通信端末機２０の表示部２１と、を前記所定部位（３０）において位置合わせした状態で、静止画１１と関連付けされた動画データを再生することにより、静止画１１と動画１３との内容を全体として一体的に観賞することができるものである。以下、本実施形態において使用される印刷物１０及び通信端末機２０並びに通信ネットワークの構成について、詳細に説明する。
【００２２】
図１（ａ）に示すように、印刷物１０は、少なくとも、静止画１１と、目合せ３０と、２次元コード４０と、が印刷されたものであればよい。従って、例えば、各種の雑誌、新聞、写真集、ポスター、映画等のチケットのような、紙媒体へ印刷された印刷物であってもよいし、プラスチック製下敷きのような、紙媒体以外の媒体へ印刷された印刷物であってもよく、特にこれらに限定されるものではない。
【００２３】
図１（ａ）に示すように、静止画１１は、印刷物１０に印刷された静止画であり、女性モデルが被写体である写真画像である。ただし、本発明における静止画としては、人の写真画像に限定されるものではなく、人以外の生物や建物などを撮影した写真画像でもよいし、写真画像以外のものとして、例えば漫画や絵画といった静止画でもよく、印刷可能な静止画であればよい。また、図１（ａ）に示すように、本実施形態では、印刷物１０の同一ページ内に、１つの静止画１１が印刷されたものを示しているが、少なくとも１以上の静止画が印刷されていればよい。
【００２４】
目合せ３０は、静止画１１の所定部位を囲むように、静止画１１上に表示されたものであり、通信端末機２０の表示部２１を静止画１１の上に重ねて配置する場所を示すための、位置合せ用の目印として機能する。同時に、印刷物１０の観賞者に対して、静止画１１のうち、いずれの部位が動画として観賞できる部位であるのかを知らせるための目印としても機能するものである。
【００２５】
図１（ａ）に示すように、目合せ３０は、椅子に腰掛けて脚を組んだ女性モデルの写真画像である静止画１１のうち、組まれた脚付近を囲うようにして、角を構成する線でなる４つの目合せ３２ａ，３２ｂ，３２ｃ，３２ｄのように印刷表示されている。また、それらの目合せ３０によって囲う範囲乃至大きさは、通信端末機２０の表示部２１の大きさに対応していればよく、より具体的には通信端末機２０の表示部２１を重ねて位置合せしたときに、表示部２１を重ねたことによって隠れる範囲乃至大きさとすればよい。
【００２６】
ただし、本発明における目合せ３０は、静止画１１のうち、通信端末機１０を用いて動画として観賞できる部位を特定することができるものであれば、その形状、大きさ、個数などは特に限定されるものではない。例えば、形状は、本実施形態のような角を構成する線に代えて、鉤括弧状（［  ］）、丸形、星形、四角形などでもよいし、一続きの実線や破線によって所定部位を囲うようにしてもよい。また、個数は、本実施形態のように１つの所定部位を特定する目合せ３０としてもよいし、これに加えて他の部位（例えば、顔を含む範囲など）にも目合せを設けることにより、１つの静止画１１の中に２つ以上の目合せ３０を設けるようにしてもよい。また、表示部２１で再生される動画１３は、後述のように静止画１１の中の所定部位であることから、目合せ３０で示す範囲は、静止画１１よりも小さくなければならない。
【００２７】
静止画１１に対して関連付けられた所定情報、例えば所定符号としては、２次元コード４０を用いればよい。２次元コード４０は、静止画１１に対して関連付けされていれば、印刷物１０のどこに設けるかは特に限定されるものではないが、静止画１１の近傍に設けるなど、観賞者が一見して関連性を見出せる位置に設けておくのが好適である。
【００２８】
所定符号としての２次元コード４０は、後述の通信ネットワーク７０上のコンテンツサーバ７４（図３参照）に保存された動画データ１２（図３参照）を特定でき、ＵＲＬ（Ｕｎｉｆｏｒｍ  Ｒｅｓｏｕｒｃｅ  Ｌｏｃａｔｏｒ）を内容とするものである。２次元コード４０は、後述の通信端末機２０のカメラ２２（図２参照）によって撮像され、所定のＵＲＬに変換されることにより、静止画１１と関連付けされた動画データ１２（図３参照）を特定できるようになっている。
【００２９】
現在、このような所定情報としての２次元コード４０としては、ＵＲＬへの変換が可能な図形的コード（ＱＲコード（Ｑｕｉｃｋ  Ｒｅｓｐｏｎｓｅ  Ｃｏｄｅ（登録商標）））が広く普及しているが、この外にも、例えば、静止画１１の中に直接、ＵＲＬを内容とする情報を埋め込むように構成してもよく、動画データ１２の通信ネットワーク上の保存場所を特定可能であればどの様な情報でもよく、特に限定されるものではない。
【００３０】
次に、通信端末機２０の構成について、主として図２を用いて説明する。図２は、本発明に画像観賞方法において用いる通信端末機の基本的なブロック図である。図２に示すように、通信端末機２０は、表示部２１、カメラ２２、マイクロフォン２３、スピーカー２４、入力装置２５、メモリ２６、制御部６１、無線部６２、及び電源部６３を有するものであればよく、本実施形態では、カメラ機能付きの携帯電話機を用いて説明する。
【００３１】
表示部２１は、制御部６１による制御のもと、制御部６１を介して送られてくるデータ、例えば、入力装置２５により入力された文字列、メモリ２６に記録されている各種データ、無線部６２を介してアクセスしたウエブサイトの内容などを表示処理するためのデータ表示手段であればよい。表示部２１としては、ＬＣＤ（Ｌｉｑｕｉｄ  Ｃｒｙｓｔａｌ  Ｄｉｓｐｌａｙ）などの液晶を用いた表示手段を用いればよい。
【００３２】
カメラ２２は、撮影用レンズ（図示せず）を有し、制御部６１による制御のもと、入力装置２５からの操作信号に応じて動作し、被写体を撮像する機能を有するものであればよい。本実施形態においては、カメラ２２は、２次元コード４０を撮像し、読み取って通信端末機２０に入力するための情報取得手段としても機能する。なお、撮像した静止画は、制御部６１で処理された後、メモリ２６に一時保存又は保存を行うことができる。
【００３３】
マイクロフォン２３は、制御部６１による制御のもと、外部の音声を通信端末機２０に入力するための音声入力手段として機能するものであればよい。マイクロフォン２３から入力された音声は、制御部６１によってアナログ−デジタル変換され、音声データとして、無線部６２から送信されたり、その他の処理が可能になっている。
【００３４】
スピーカー２４は、制御部６１による制御のもと、種々の音声データを、制御部６１によってデジタル−アナログ変換した上で、音声として外部に出力するための音声出力手段として機能するものである。また、イヤホン端子（図示せず）をさらに備えるものであってもよい。
【００３５】
入力装置２５は、制御部６１による制御のもと、通信端末機２０の使用者による入力操作により、種々のデータを入力するためのデータ入力手段であり、テンキー、決定キー、ファンクションキー（いずれも図示せず）等を有するものとすればよい。入力装置２５により入力されるデータとしては、例えば、電話番号、各種文字列、通信端末機２０の機能の選択、表示部２１に表示される操作情報の選択・決定などが挙げられる。使用者による入力操作が可能なものであれば特に限定されないが、ボタン式、タッチパネル式（後述のタッチパネル２５１）など、各種の形状・入力機能を有しているものを採択できる。
【００３６】
メモリ２６は、制御部６１により制御され、揮発性メモリ（図示せず）、不揮発性メモリ（図示せず）などによって構成される記憶手段である。揮発性メモリは、電源を切る度に消去され、制御部６１の処理や入力データの一時保存、カメラ２２により撮像した画像や、無線部６２を通じて通信ネットワークから受信したデータなどを一時的に保存できるようになっている。また、制御部６１の演算処理時の記憶領域としても機能する。不揮発性メモリは、電源を切っても内容は保持されるため、長期保存する場合に使用される。例えば、電話番号の記録、動画データ、各種プログラムの長期保存などに使用することが望ましい。通信端末機２０のメモリ２６が不足する場合や、他の通信端末機やパーソナルコンピュータとの各種データの交換を行う際に備えて、交換可能な外部メモリ（図示せず）を使用できる構成としてもよい。
【００３７】
制御部６１は、表示部２１、カメラ２２、マイクロフォン２３、スピーカー２４、入力装置２５、メモリ２６、無線部６２、電源部６３が接続されており、各動作の処理を司る。制御部６１は、内蔵するプロセッサ（図示せず）とメモリ２６とを使用し、各機器を制御するプログラム（アプリケーション）を制御することで、通信端末機２０の全体の機能を統括できるようになっている。従って、通信端末機２０のカメラ２２によって２次元コード４０を撮像されたデータを、メモリ２６に予め保存されている所定の変換プログラムに従って、制御部６１において変換処理して、所定のＵＲＬを取得する処理を行うことができる。
【００３８】
無線部６２は、アンテナ（図示せず）を有し、通信端末機２０と通信ネットワーク７０（図３参照）との間でデータの送受信を行う。マイクロフォン２３から入力した音声や、入力装置２５から入力した文字データ等を制御部６１から受けて通信ネットワーク７０に送信する。また、通信ネットワーク７０から受信した音声データ、文字データ、動画データ、ゲームデータなどを、制御部６１を経由して、メモリ２６、スピーカー２４、表示部２１等に出力できるようになっている。
【００３９】
電源部６３は、制御部６１の制御に従い、電池や電源コンセントからの入力電気等を管理できるようになっており、通信端末機を適切な通電状態に保つ機能を有する。
【００４０】
図２に示すように、表示部２１、カメラ２２、マイクロフォン２３、スピーカー２４、入力装置２５、メモリ２６、制御部６１、無線部６２、及び電源部６３は、本発明を実施する一例としての通信端末機２０の一般的構成を示すものに過ぎず、本発明を実施できるものであれば、前記構成の増減変更は、特に限定されるものではない。
【００４１】
次に、所定情報としての２次元コード４０を、通信端末機２０によって取得し、配信用サーバから動画データを取得するネットワーク関係について、図３を参照して説明する。図３は、本実施形態に係る画像観賞方法において用いる通信端末機と配信用サーバとの接続関係を示す基本的な概念図である。
【００４２】
通信ネットワーク７０は、通信端末機２０と、コンテンツプロパイダ７３と、動画データ１２を保存したコンテンツサーバ７４と、を接続している。従って、前記のように、通信端末機２０のカメラ２２によって２次元コード４０を取得し、制御部６１において変換処理して、所定のＵＲＬを取得できれば、通信端末機２０は、無線部６２、通信ネットワーク７０を介して、コンテンツプロバイダ７３に接続することが可能である。さらに、コンテンツプロバイダ７３内のコンテンツサーバ７４内に保存されている動画データ１２に接続でき、この動画データ１２のダウンロード又はストリーミングによる配信を受けることができるようになっている。
【００４３】
コンテンツプロパイダ７３は、デジタルデータ化された情報（デジタルコンテンツ）を提供する事業者である。コンテンツサーバ７４は、コンテンツプロパイダ７３が所有する、各種デジタルコンテンツのデータを保存し、それを利用者に配信することができるサーバである。本実施形態ではコンテンツサーバ７４内部に、動画データ１２が保存されており、２次元コード４０によって個々の動画データ１２が特定されている。
【００４４】
なお、通信ネットワーク７０は、本実施形態における通信ネットワークを簡略化して説明したものであり、２次元コード４０によって動画データ１２が特定して通信端末機２０への配信が可能であれば、特に構成が限定されるものではない。
【００４５】
図１（ｂ）は、通信端末機２０に、２次元コード４０によって特定された動画データ１２のダウンロードが終了した状態を示す図である。なお、ダウンロードが終了した状態の表示部１１への表示形式は、図１（ｂ）のような表示形式に限定されるものではない。
【００４６】
次に、本実施形態において、通信端末機２０を用いて再生可能な、静止画１１と関連付けされた動画データ１２の具体的内容を、図４乃至図６を参照して説明する。図４は、動画の第１状態を示す図、図５は、動画の第２状態を示す図、図６は、動画の第３状態を示す図である。
【００４７】
図４に示すように、通信端末機２０の表示部２１を、目合せ３０に沿って位置合せを行い、その部位にとどめた状態で、静止画１１に関連付けされた動画データ１２を再生し、表示部２１に動画１３（再生内容）を表示する。この動画１３は、静止画１１の被写体の女性モデルと同一人を再生内容とする動画であり、静止画１１の目合せ３０で囲われた組まれた脚（所定部位）を内容としている。また、前記のように位置合せがなされた状態で、表示部２１に表示される動画１３は、静止画１１の目合せ３０で囲われた組まれた脚（所定部位）と略一致する寸法となっている。従って、図４に示すように、通信端末機２０の表示部２１が重ねられて隠れる静止画１１の部位が、略一致する寸法で表示部２１に表示されるため、静止画１１と動画１３とを併せて観賞すれば、全体としてほぼ違和感なく、図１（ａ）に示すような静止画１１の全体像と同様に見ることができる。このような状態で動画データ１２を再生すると、図４、図５、図６の順に沿って左右の脚を組み換える動画１３が表示部２１に表示される。このように、静止画１１と動画１３との内容を全体として一体的に観賞することができる。
【００４８】
なお、動画データ１２は、その動画１３の内容に連動する声、音声、交換等の音声データを組み込み、表示部２１における再生時において、スピーカー２４から声、音楽、効果音等の音声が連動して発生できるようにしてもよい。また、本実施形態では、静止画１１が写真画像であるため、動画データ１２は同一被写体による実写の動画を内容としているが、静止画１１が漫画又は絵画の場合には、動画データ１２はアニメーションとすればよい。
【００４９】
図４乃至図６に示すような静止画１１と動画１３とを一体的に観賞する本実施形態の画像観賞方法の工程について、図７を参照して説明する。図７は、図４乃至図６に対応した画像観賞方法の工程を示すフローチャートである。
【００５０】
始めに、情報取得工程について説明する。印刷物１０の観賞者は、静止画と関連付けされた動画とともに観賞可能とされている静止画１１を見つけた場合、静止画１１に関連付けされた２次元コード（所定情報）４０が付与されているか確認する（ステップＳ１）。付与されている場合、通信端末機２０の所定情報取得機能を起動する（ステップＳ２）。ここで、所定情報取得機能を起動するというのは、本実施形態においては、カメラ２２が撮像可能な状態とされること、及び、信端末機２０のカメラ２２によって撮像されたデータを変換処理して、所定のＵＲＬを取得する所定の変換プログラムを実行可能な状態とされることである。次に、通信端末機２０の前記所定情報取得機能（カメラ２２）により２次元コード４０を撮像して読み取る（ステップＳ３）。この場合に、図１（ａ）に示すように、表示部２１には、前記撮像によって通信端末機２０に入力された２次元コード４０が表示される。
【００５１】
次に、動画データ取得工程について説明する。所定情報取得機能（変換プログラム）により、２次元コード４０を撮像して得られたデータを変換して、２次元コード４０に含まれるＵＲＬ情報、すなわち、通信ネットワーク７０上の特定の動画データ１２についてのＵＲＬを取得し（ステップＳ４）、表示部２１においてそのＵＲＬを表示する（Ｓ５）。なお、ＵＲＬ情報の表示部２１への表示は任意である。通信端末機２０は、前記ＵＲＬに基づいて、通信ネットワーク７０を介して、配信用サーバとしてのコンテンツサーバ７４にアクセスするか否かを選択させる案内表示を表示部２１にて行い（ステップＳ６）、観賞者によってアクセスすることが選択された場合には（ステップ６でＹＥＳ）、コンテンツサーバ７４内に保存されて配信可能とされている、静止画１１に関連付けされた動画データ１２を、表示部２１に表示させる（ステップＳ７）。なお、観賞者によって前記アクセスをしないことが選択された場合には（ステップＳ６でＮＯ）、本実施形態による画像観賞方法による観賞が終了される。
【００５２】
次に、通信端末機２０の表示部２１において、動画データ１２の配信の実行をするか否かを選択させる案内表示を行う（ステップＳ８）。ここで、観賞者が配信の実行を選択した場合は（ステップＳ８でＹＥＳ）、動画データ１２の配信が実行される（ステップＳ９）。なお、観賞者によって配信の実行をしないことが選択された場合には（ステップＳ８でＮＯ）、本実施形態による画像観賞方法による観賞が終了される。
【００５３】
配信された動画データ１２を、通信端末機２０のメモリ２６へ保存するか否かを選択させる案内表示が行われ（ステップＳ１０）、観賞者によって保存することが選択された場合には（ステップＳ１０でＹＥＳ）、保存の処理が実行される（ステップＳ１１）。なお、観賞者によって動画データ１２を保存しないことが選択された場合には（ステップＳ１０でＮＯ）、本実施形態による画像観賞方法による観賞が終了される。
【００５４】
ステップＳ１０における案内表示は、主として、動画データ１２をダウンロード形式で配信する場合に行えばよい。ストリーミング形式による配信の場合には、ステップＳ１０における案内表示は省略して、通信端末機２０の内部処理として、ステップＳ１１で行う保存処理は、メモリ２６のうち揮発性メモリに一時的に保存するようにすればよい。この場合、通信端末機２０の電源を切断したり、他の動画データにアクセスしたりした場合は、再度２次元コード４０の撮像からやり直すこととなる。
【００５５】
次に、動画表示工程について説明する。図４に示すように、静止画１１に設けられた目合せ３０に沿って、通信端末機２０の表示部２１を位置合せする（ステップＳ１２）。動画データ１２を再生するか否かを選択させる案内表示がなされ（ステップＳ１３）、観賞者によって再生実行が選択された場合（ステップＳ１３でＹＥＳ）、動画１３は、図４に示す第１状態、図５に示す第２状態、図６に示す第３状態のように、表示部２１に表示処理される（ステップＳ１４）。動画データ１２の再生内容である動画１３が一通り再生し終わった場合に、再度、同じ動画データ１２を再生するか否かを選択させる案内表示がなされ（ステップＳ１５）、観賞者によって再生実行が選択された場合には（ステップＳ１５でＹＥＳ）、ステップＳ１４に戻って動画データ１２の再生を繰り返し、再生終了が選択された場合には（ステップＳ１５でＮＯ）、本実施形態による画像観賞方法による観賞が終了される。
【００５６】
以上のように、図４乃至図６に示すように、静止画１１と、表示部２１に表示される動画１３と、を一体として観賞することで、従来には無かった画像観賞方法として、静止画１１及び動画１３の両方を楽しむことができるようになる。
【００５７】
（変形例）
次に、上記の第１実施形態の変形例について、図８を参照して説明する。図８は、第１実施形態の変形例を示す図である。図８に示すように、本変形例は、通信端末機２０を、静止画１１ａに対して相対的に移動させながら、静止画１１ａと動画１３ａとを組み合わせて一体的に観賞する画像観賞方法である。なお、通信端末機２０及びネットワーク関係については、上記の第１実施形態と同じであるため、同一符号を付して、詳細な説明は割愛する。
【００５８】
図８に示すように、印刷物１０ａには、立った状態の女性モデルを被写体とした写真画像である静止画１１ａが印刷されており、この静止画１１ａに関連付けされた所定符号である２次元コード４０ａが、静止画１１ａの近傍に印刷表示されている。静止画１１ａの所定部位を囲むように、目合せ３０ａが静止画１１ａ上に印刷表示されている。より具体的には、目合せ３０ａは、第１所定部位として前記女性モデルの胸部付近を囲むように表示された目合せａ１と、第２所定部位として前記女性モデルの腰部付近を囲むように表示された目合せａ２と、によって設けられている。
【００５９】
２次元コード４０ａによって特定され、静止画１１ａと関連付けされた動画データ１２ａ（図３参照）の動画１３ａは、静止画１１ａの被写体の女性モデルと同一人を内容とする動画であり、静止画１１ａの目合せ３０ａ１で囲われた胸部付近から、目合せ３０ａ２で囲われた腰部付近に向かって移動するものである。さらに、図８に示すように、動画１３における女性モデルの服装が、静止画１１ａにおける女性モデルの服装と異なるものとなっていてもよい。
【００６０】
本変形例の画像観賞方法の各工程は、基本的に図７に示すフローチャートと同様であるが、その動画表示工程では、単に動画データ１２ａを再生するだけではなく、以下のように行うようにする。図８に示すように、通信端末機２０の表示部２１を、まずは目合せ３０ａ１に沿って位置合せを行い（図７のステップＳ１２に相当）、静止画１１ａに関連付けされた動画データ１２ａを再生し（図７のステップＳ１３に相当）、表示部２１に動画１３ａを表示する。前記のように、動画１３ａは、静止画１１ａの胸部付近（目合せ３０ａ１）から、腰部付近（目合せ３０ａ２）に向かって移動するため、これに合わせて、通信端末機２０の表示部２１を、目合せ３０ａ２に向かって移動させるようにする。
【００６１】
本変形例においても、位置合せがなされた状態で、表示部２１に表示される動画１３ａは、静止画１１ａの目合せ３０ａで囲われた部位と略一致する寸法となっている。従って、図８に示すように、通信端末機２０の表示部２１が重ねられて隠れる静止画１１ａの部位が、略一致する寸法で表示部２１に表示されるため、静止画１１ａと動画１３ａとを併せて観賞すれば、全体としてほぼ違和感なく、静止画１１ａの全体像と同様に見ることができる。これにより、本変形例によれば、図８の第１所定部位（３０ａ１）から第２所定部位（３０ａ２）の間の異なる服装による動画１３ａを、静止画１１ａと組合せて、全体として一体的に観賞することができる。なお、動画１３ａの移動方向は、図８のような上から下へ移動するものに限られず、静止画１１ａ上の任意の移動方向を採用できる。
【００６２】
（第２実施形態）
以下、本発明の第２実施形態に係る画像観賞方法について、図９を参照して説明する。図９（ａ）は、第２実施形態に係る画像観賞方法において用いる印刷物及び通信端末機の外観図、（ｂ）は、変化後の動画データを示す図である。図９に示すように、第２実施形態は、静止画１１ｂと、通信端末機の音声入力部へ入力される音声に反応して変化する動画１３ｂと、を組み合わせて一体的に観賞する画像観賞方法である。なお、通信端末機２０及びネットワーク関係については、上記の第１実施形態と同じであるため、同一符号を付して、詳細な説明は割愛する。
【００６３】
図９に示すように、印刷物１０ｂには、火が点されている蝋燭の写真画像である静止画１１ｂが印刷され、この静止画１１ｂに関連付けされた所定符号である２次元コード４０ｂが、静止画１１ｂの近傍に印刷表示されている。静止画１１ｂの所定部位、すなわち蝋燭の上部及び炎を囲むように、目合せ３０ｂが静止画１１ｂ上に印刷表示されている。
【００６４】
静止画１１ｂと関連付けされた動画データ（変化する動画データ）の動画１３ｂは、静止画１１ｂの同一又は同種の蝋燭を内容とする動画であり、図９では、静止画１１ｂの目合せ３０ｂで囲われた蝋燭の炎の形が変化するものを示している。
【００６５】
ここで、第１実施形態と異なるのは、２次元コード４０によって特定されて、通信端末機２０に配信（ダウンロード）されるものが、前記変化する動画データを含むプログラムとしてのアプリケーションソフト１４である点である。このアプリケーションソフト１４は、通信端末機２０に設けられたマイクロフォン２３（音声入力部）へ入力される音声に反応して、前記変化する動画データを再生する処理を行うようにプログラムされている。アプリケーションソフト１４は、第１実施形態における動画データ１２と同様、コンテンツサーバ７４に保存されており、静止画１１ｂに記載された２次元コード４０ｂは、そのＵＲＬを特定することができるものとなっている。
【００６６】
第２実施形態の画像観賞方法の各工程は、基本的には図７に示すフローチャートと同様であるが、その動画データ取得工程（図７のステップＳ４乃至ステップＳ１１）は、第２実施形態ではプログラム取得工程として、同じ要領で、アプリケーションソフト１４がコンテンツサーバ７４から通信端末機２０にダウンロードされ、メモリ２６に保存される。
【００６７】
また、動画表示工程では、以下のように行うようにする。図９（ａ）に示すように、通信端末機２０の表示部２１を、目合せ３０ｂに沿って位置合せを行う（図７のステップＳ１２に相当）。ここで、観賞者による入力装置２５への起動指示により、制御部６１はメモリ２６からアプリケーションソフト１４を読み込んで実行し、表示部２１には初期画像（第１状態）として、静止画１１ｂの目合せ３０ｂで囲われた部位と同じ内容の画像が表示される（図９（ａ）参照）。この状態で、観賞者は表示部２１に表示された蝋燭の炎に向かって息を吹きかけると、表示部２１近傍に配置されているマイクロフォン２３にも息がかかるため、マイクロフォン２３から入力された息の音（音声）が制御部６１にて音声データとして処理され、アプリケーションソフト１４に音声が入力されたことを伝達する。アプリケーションソフト１４は、入力された音声に反応して前記変化する動画データを再生することにより、表示部１１には、図９（ｂ）に示すように、炎が「揺れる」状態の動画１３ｂが表示される。なお、息を吹きかける強さを音声の大きさとして処理し、マイクロフォン２３に息を強く吹きかけると炎が「大きく揺れる」や「消える」ような変化する動画データを再生するように、アプリケーションソフト１４を作成しても良い。
【００６８】
第２実施形態においても、位置合せがなされた状態で、表示部２１に表示される動画１３ｂは、静止画１１ｂの目合せ３０ｂで囲われた部位と略一致する寸法となっている。従って、図９に示すように、通信端末機２０の表示部２１が重ねられて隠れる静止画１１ｂの部位が、略一致する寸法で表示部２１に表示されるため、静止画１１ｂと動画１３ｂとを併せて観賞すれば、全体としてほぼ違和感なく、静止画１１ｂの全体像と同様に見ることができる。これにより、第２実施形態によれば、印刷された静止画１１ｂの蝋燭の炎を変化させる感覚で、静止画１１ｂと動画１１ｂとを組合せて、全体として一体的に観賞することができる。
【００６９】
（変形例）
次に、上記の第２実施形態の変形例について、図１０を参照して説明する。図１０（ａ）は、本発明の第２実施形態の変形例に係る画像観賞方法において用いる印刷物及び通信端末機の外観図、（ｂ）は、変化後の動画データを示す図である。図１０に示すように、本変形例は、静止画１１ｂと、通信端末機の音声入力部へ入力される言語（音声）に反応して変化する動画１３ｂと、を組み合わせて一体的に観賞する画像観賞方法である。
【００７０】
図１０に示すように、印刷物１０ｃには、正面から描かれた犬の漫画である静止画１１ｃが印刷され、この静止画１１ｃに関連付けされた所定符号である２次元コード４０ｃが、静止画１１ｃの近傍に印刷表示されている。静止画１１ｃの所定部位、すなわち犬の前脚付近を囲むように、目合せ３０ｃが静止画１１ｃ上に印刷表示されている。
【００７１】
静止画１１ｂと関連付けされた動画データ（変化する動画データ）の動画１３ｃは、静止画１１ｃの漫画の犬を内容とするアニメーションとしての動画であり、図１０では、静止画１１ｃの目合せ３０ｃで囲われた前脚の形が変化するものを示している。
【００７２】
上記第２実施形態と同様に、２次元コード４０ｃによって特定されて、通信端末機２０に配信（ダウンロード）されるものは、前記変化する動画データを含むプログラムとしてのアプリケーションソフト１４ａである。このアプリケーションソフト１４ａは、通信端末機２０に設けられたマイクロフォン２３（音声入力部）へ入力される言語（音声）に反応して、前記変化する動画データを再生する処理を行うようにプログラムされている。
【００７３】
本変形例の画像観賞方法の各工程は、第２実施形態と基本的に同様であるが、動画表示工程では、以下のように行うようにする。図１０（ａ）に示すように、通信端末機２０の表示部２１を、目合せ３０ｃに沿って位置合せを行う（図７のステップＳ１２に相当）。ここで、観賞者による入力装置２５への起動指示により、制御部６１はメモリ２６からアプリケーションソフト１４ａを読み込んで実行し、表示部２１には初期画像（第１状態）として、静止画１１ｃの目合せ３０ｃで囲われた部位と同じ内容の画像が表示される（図１０（ａ）参照）。この状態で、観賞者は表示部２１に表示された犬に向かって「お手」と言語を発すると、表示部２１近傍に配置されているマイクロフォン２３でその音声が入力され、マイクロフォン２３から入力された「お手」という音声が制御部６１にて音声データとして処理され、アプリケーションソフト１４ａに音声が入力されたことを伝達する。アプリケーションソフト１４ａは、入力された音声に反応して前記変化する動画データを再生することにより、表示部１１には、図１０（ｂ）に示すように、犬の前脚が前方に伸ばされた「お手」状態の動画１３ｃが表示される。なお、観賞者の発する言語の内容に応じて、別の変化する動画データを再生するように、アプリケーションソフト１４ａを作成しても良い。
【００７４】
本変形例においても、位置合せがなされた状態で、表示部２１に表示される動画１３ｃは、静止画１１ｃの目合せ３０ｃで囲われた部位と略一致する寸法となっている。従って、図１０に示すように、通信端末機２０の表示部２１が重ねられて隠れる静止画１１ｃの部位が、略一致する寸法で表示部２１に表示されるため、静止画１１ｃと動画１３ｃとを併せて観賞すれば、全体としてほぼ違和感なく、静止画１１ｃの全体像と同様に見ることができる。これにより、本変形例によれば、印刷された静止画１１ｃの犬に指示するような感覚で、静止画１１ｃと動画１３ｃとを組合せて、全体として一体的に観賞することができる。
【００７５】
（第３実施形態）
以下、本発明の第３実施形態に係る画像観賞方法について、図１１を参照して説明する。図１１（ａ）は、第３実施形態に係る画像観賞方法において用いる印刷物及び通信端末機の外観図、図１１（ｂ）は、変化後の動画データを示す図である。図１１に示すように、第３実施形態は、静止画１１ｄと、通信端末機のタッチパネルの操作に反応して変化する動画１３ｄと、を組み合わせて一体的に観賞する画像観賞方法である。なお、通信端末機２０及びネットワーク関係については、上記の第１及び第２実施形態と同じであるため、同一符号を付して、詳細な説明は割愛する。
【００７６】
図１１に示すように、印刷物１０ｄには、花びら・茎・葉を有する花の漫画である静止画１１ｄが印刷され、この静止画１１ｄに関連付けされた所定符号である２次元コード４０ｄが、静止画１１ｄの近傍に印刷表示されている。静止画１１ｄの所定部位、すなわち花びらを囲むように、目合せ３０ｄが静止画１１ｄ上に印刷表示されている。
【００７７】
静止画１１ｄと関連付けされた動画データ（変化する動画データ）の動画１３ｄは、静止画１１ｄの漫画の花を内容とするアニメーションとしての動画であり、図１１（ｂ）では、静止画１１ｄの目合せ３０ｄで囲われた花びらが変化するものを示している。
【００７８】
上記第２実施形態と同様に、２次元コード４０ｄによって特定されて、通信端末機２０に配信（ダウンロード）されるものは、前記変化する動画データを含むプログラムとしてのアプリケーションソフト１４ｂである。このアプリケーションソフト１４ｂは、通信端末機２０に設けられたタッチパネル２５１の操作に反応して、「タッチパネルに触れる」と「タッチパネル上でドラッグする」等を判別して、前記変化する動画データを再生する処理を行うようにプログラムされている。
【００７９】
第３実施形態の画像観賞方法の各工程は、第１及び第２実施形態と基本的に同様であるが、動画表示工程では、以下のように行うようにする。図１１（ａ）に示すように、通信端末機２０の表示部２１を、目合せ３０ｄに沿って位置合せを行う（図７のステップＳ１２に相当）。ここで、観賞者による入力装置２５への起動指示により、制御部６１はメモリ２６からアプリケーションソフト１４ｂを読み込んで実行し、表示部２１には初期画像（第１状態）として、静止画１１ｄの目合せ３０ｄで囲われた部位と同じ内容の画像が表示される（図１１（ａ）参照）。この状態で、観賞者は表示部２１を兼ねて設けられたタッチパネル２５１に表示された所定の花びらを取り除く方向に指でなぞる操作すると、タッチパネル２５１にその操作内容が入力され、タッチパネル２５１から入力された操作内容が制御部６１にてデータとして処理され、アプリケーションソフト１４ｂに操作内容が入力されたことを伝達する。アプリケーションソフト１４ｂは、入力された操作内容に反応して前記変化する動画データを再生することにより、表示部１１には、図１１（ｂ）に示すように、花びらが取り除かれる内容の動画１３ｄが表示される。なお、例えば、「花びらをつつくと全体が揺れる」や「花びらを取り除く途中で指をタッチパネルから離すと、花びらがひらひら落ちる」ように、観賞者によるタッチパネル２５１への操作内容に応じて、別の変化する動画データを再生するように、アプリケーションソフト１４ｂを作成しても良い。
【００８０】
第３実施形態においても、位置合せがなされた状態で、表示部２１に表示される動画１３ｄは、静止画１１ｄの目合せ３０ｄで囲われた部位と略一致する寸法となっている。従って、図１１に示すように、通信端末機２０の表示部２１が重ねられて隠れる静止画１１ｄの部位が、略一致する寸法で表示部２１に表示されるため、静止画１１ｄと動画１３ｄとを併せて観賞すれば、全体としてほぼ違和感なく、静止画１１ｄの全体像と同様に見ることができる。これにより、第３実施形態によれば、印刷された静止画１１ｄの花にあたかも触れている感覚で、静止画１１ｄと動画１３ｄとを組合せて、全体として一体的に観賞することができる。
【００８１】
第２及び第３実施形態のように、通信端末機への入力装置として、マイクロフォン２３及びタッチパネル２５１を使用する例を示したが、これに限定されることはなく、他の入力装置を用いてもよく、入力された内容に対応して静止画に対応したアプリケーションソフトを作成しても良い。
【００８２】
本発明について上記実施形態を参照しつつ説明したが、本発明は上記実施形態に限定されるものではなく、改良の目的または本発明の思想の範囲内において改良または変更が可能である。
【符号の説明】
【００８３】
１０    印刷物
１１    静止画
１２    動画データ
１３    動画
１４    アプリケーションソフト（動画データを含むプログラム）
２０    通信端末機
２１    表示部
２２    カメラ
２３    マイクロフォン（音声入力部）
２４    スピーカー
２５    入力装置
２６    メモリ
３０、３０ａ、３０ｂ、３０ｃ、３０ｄ    目合せ
３２ａ、３２ｂ、３２ｃ、３２ｄ、    目合せ
４０    ２次元コード（所定情報、所定符号）
６１    制御部
６２    無線部
６３    電源部
７０    通信ネットワーク
７３    コンテンツプロパイダ
７４    コンテンツサーバ（配信用サーバ）
２５１  タッチパネル
【図１】
2010193079.tif 000003
【図２】
2010193079.tif 000004
【図３】
2010193079.tif 000005
【図４】
2010193079.tif 000006
【図５】
2010193079.tif 000007
【図６】
2010193079.tif 000008
【図７】
2010193079.tif 000009
【図８】
2010193079.tif 000010
【図９】
2010193079.tif 000011
【図１０】
2010193079.tif 000012
【図１１】
2010193079.tif 000013